(57)【要約】【課題】高品位でコンパクトな光学装置を実現可能なプリズムを提供する。【解決手段】プリズム３０は、プリズム本体３１、接合部３２とを備えている。プリズム本体３１は、光入射面３１ａと、光出射面３１ｃと、光反射面３１ｂとを有する。接合部３２は、光入射面３１ａ又は光出射面３１ｃの上に位置しており、プリズム本体３１と一体形成されている。【選択図】図２
2007279134.tif 000002
【特許請求の範囲】
【請求項１】
光入射面と、光出射面と、光反射面とを有するプリズム本体と、
上記光入射面又は上記光出射面の上に位置し、上記プリズム本体と一体形成された接合部と、
を備えたプリズム。
【請求項２】
請求項１に記載されたプリズムにおいて、
上記プリズム本体は、上記光入射面と上記光出射面と上記光反射面とを３つの側面とする三角柱形であるプリズム。
【請求項３】
請求項２に記載されたプリズムにおいて、
上記光入射面と上記光出射面とは互いに直交するプリズム。
【請求項４】
請求項１に記載されたプリズムにおいて、
上記光反射面上に形成された光反射膜をさらに備えたプリズム。
【請求項５】
請求項１に記載されたプリズムにおいて、
上記プリズム本体は、上記光入射面から上記プリズム本体に垂直に入射した可視光の上記光反射面による光反射率が９０％以上であるプリズム。
【請求項６】
互いに直交する２つの直交側面と、該２つの直交側面のそれぞれに対して傾斜する傾斜側面とを有する直角三角柱状のプリズム本体と、
上記２つの直交側面の一方の上に位置し、上記プリズム本体と一体形成された接合部と、
を備えたプリズム。
【請求項７】
請求項６に記載されたプリズムにおいて、
上記２つの直交側面の各々は光入出射面であり、一方、上記傾斜側面は光反射面であるプリズム。
【請求項８】
請求項６に記載されたプリズムにおいて、
上記傾斜側面上に形成された光反射膜をさらに備えたプリズム。
【請求項９】
請求項６に記載されたプリズムにおいて、
上記プリズム本体は、上記２つの直交側面の一方から上記プリズム本体に垂直に入射した可視光の上記傾斜側面による光反射率が９０％以上であるプリズム。
【請求項１０】
請求項１又は６に記載されたプリズムにおいて、
上記接合部は上記プリズム本体から突出した凸部により構成されているプリズム。
【請求項１１】
請求項１又は６に記載されたプリズムにおいて、
上記接合部は上記プリズムに別の光学素子を接合するためのものであるプリズム。
【請求項１２】
請求項１又は６に記載されたプリズムにおいて、
上記プリズム本体はガラス製であるプリズム。
【請求項１３】
請求項１又は６に記載されたプリズムにおいて、
上記プリズム本体は、そのｄ線に対する屈折率が１．６５以上であるプリズム。
【請求項１４】
光入射面、光出射面、及び光反射面を有するプリズム本体と、該光入射面又は該光出射面の上に位置し、上記プリズム本体と一体形成された接合部とを有するプリズムと、
上記接合部に接合された別の光学素子と、
を備えた複合光学素子。
【請求項１５】
請求項１４に記載された複合光学素子において、
上記別の光学素子は、光学有効部と、該光学有効部の外周に形成された枠部とを有するレンズ素子であり、且つ、上記光学有効部と上記プリズム本体とが離間するように、上記枠部でもって上記接合部に接合されている複合光学素子。
【請求項１６】
互いに直交する２つの直交側面、及び該２つの直交側面のそれぞれに対して傾斜する傾斜側面を有する直角三角柱状のプリズム本体と、上記２つの直交側面の一方の上に位置し、上記プリズム本体と一体形成された接合部とを備えたプリズムと、
上記接合部に接合された別の光学素子と、
を備えた複合光学素子。
【請求項１７】
請求項１６に記載された複合光学素子において、
上記別の光学素子は、光学有効部と、該光学有効部の外周に形成された枠部とを有するレンズ素子であり、且つ、上記光学有効部と上記プリズム本体とが離間するように、上記枠部でもって上記接合部に接合されている複合光学素子。
【請求項１８】
プリズム及び該プリズムに接合された別の光学素子を有する複合光学素子を備え、
上記プリズムは、光入射面、光出射面、及び光反射面を有するプリズム本体と、該光入射面又は該光出射面の上に位置し、上記プリズム本体と一体形成されており、上記別の光学素子を接合するための接合部とを備えている光学装置。
【請求項１９】
プリズム及び該プリズムに接合された別の光学素子を有する複合光学素子を備え、
上記プリズムは、互いに直交する２つの直交側面、及び該２つの直交側面のそれぞれに対して傾斜する傾斜側面を有する直角三角柱状のプリズム本体と、上記２つの直交側面の一方の上に位置し、上記プリズム本体と一体形成されており、上記別の光学素子を接合するための接合部とを備えている光学装置。
【請求項２０】
請求項１８又は１９に記載された光学装置において、
受光素子と、
上記受光素子の受光面に被写体の光学像を形成する撮像光学系と、
を備え、
上記複合光学素子は上記撮像光学系の光路中に配置されている光学装置。
【請求項２１】
請求項１８又は１９に記載された光学装置において、
光源と、
上記光源から出射された照明光を被照明対象物に照射する照明光学系と、
を備え、
上記複合光学素子は上記照明光学系の光路中に配置されている光学装置。
【発明の詳細な説明】
【技術分野】
【０００１】
本発明は、プリズム、それを備えた複合光学素子、及びそれを備えた光学装置に関する。
【背景技術】
【０００２】
近年、デジタルスチルカメラ等の精密光学装置に要求される品位が年々高まってきている。それに伴い、精密光学装置への光学素子の取り付け精度や光学素子同士の位置決め精度に対する要求も年々高まってきている。
【０００３】
特に、プリズムを用いた所謂屈曲光学系では、光学素子の高い取り付け精度や光学素子同士の高い位置決め精度が要求される。
【０００４】
このような状況に鑑み、例えば、特許文献１には、側面に位置決め部が形成された樹脂製のプリズムが開示されている。
【特許文献１】特開平９−７３００５号公報
【発明の開示】
【発明が解決しようとする課題】
【０００５】
しかしながら、側面に位置決め部を設けた場合、プリズムの光軸と直交方向の幅が広くなるため、光学装置の小型化、薄型化を図ることが困難となるという問題がある。
【０００６】
本発明は係る点に鑑みてなされたものであり、その目的とするところは、高品位でコンパクトな光学装置を実現可能なプリズムを提供することにある。
【課題を解決するための手段】
【０００７】
本発明に係る第１のプリズムは、プリズム本体と、接合部とを備えている。プリズム本体は、光入射面と、光出射面（本明細書において、「光入射面」と「光出射面」とを「光入出射面」と総称することがある。）と、光反射面とを有する。接合部は、光入射面又は光出射面の上に位置しており、プリズム本体と一体形成されている。
【０００８】
本発明に係る第２のプリズムは、プリズム本体と、接合部とを備えている。プリズム本体は、互いに直交する２つの直交側面と、２つの直交側面のそれぞれに対して傾斜する傾斜側面とを有する直角三角柱形である。接合部は、２つの直交側面の一方の上に位置しており、プリズム本体と一体形成されている。
【０００９】
本発明に係る第１の複合光学素子は、本発明に係る第１のプリズムと、別の光学素子とを備えている。別の光学素子は接合部に接合されている。
【００１０】
本発明に係る第２の複合光学素子は、本発明に係る第２のプリズムと、別の光学素子とを備えている。別の光学素子は接合部に接合されている。
【００１１】
本発明に係る第１の撮像装置は、受光素子と、本発明に係る第１の複合光学素子とを備えている。複合光学素子は、光入射面から入射し、光反射面でもって反射した後、光出射面から出射した外光が受光素子に入射するように配置されている。
【００１２】
本発明に係る第２の撮像装置は、受光素子と、本発明に係る第２の複合光学素子とを備えている。複合光学素子は、２つの直交側面の一方から入射し、傾斜側面でもって反射した後、２つの直交側面の他方から出射した外光が受光素子に入射するように配置されている。
【００１３】
本発明に係る第１の照明装置は、光源と、本発明に係る第１の複合光学素子とを備えている。複合光学素子は、光源からの光が光入射面から入射し、光反射面でもって反射して光出射面から出射するように配置されている。
【００１４】
本発明に係る第２の照明装置は、光源と、本発明に係る第２の複合光学素子とを備えている。複合光学素子は、光源からの光が２つの直交側面の一方から入射し、傾斜側面でもって反射して２つの直交側面の他方から出射するように配置されている。
【発明の効果】
【００１５】
本発明によれば、高品位でコンパクトな光学装置を実現することができる。
【発明を実施するための最良の形態】
【００１６】
以下、本発明の実施形態について、図面を参照しながら詳細に説明する。
【００１７】
（実施形態１）
図１は本実施形態１に係る撮像装置（例えば、デジタルスチルカメラ：ＤＳＣ）１の主要部の構成を表す図である。
【００１８】
図２は本実施形態１における複合光学素子２０の断面図である。
【００１９】
図３は複合光学素子２０の斜視図である。
【００２０】
本実施形態１に係る撮像装置１は、受光素子１１と、複数のレンズ群（具体的には、第１のレンズ群１４、第２のレンズ群１３、及び第３のレンズ群１２）を含む撮像光学系と、撮像光学系の光路中に配置された複合光学素子２０とを備えている。
【００２１】
第１のレンズ群１４は、外光が入射するように、撮像装置１から露出するように配置されている。第１のレンズ群１４から入射した外光は複合光学素子２０に入射する。入射した光は、複合光学素子２０により異なる光軸方向の光に変換される。変換された光は、第２のレンズ群１３及び第３のレンズ群１２により受光素子１１上に結像される。結像された画像は、受光素子１１において電気信号に変換出力され、図１に図示しない記録部（例えば、メモリ等）記録される仕組みとなっている。尚、受光素子１１は、例えば、電荷結合素子（ＣＣＤ）や相補型金属酸化膜半導体（ＣＭＯＳ）等によって構成することができる。
【００２２】
以下、複合光学素子２０の構成について、主として図２を参照しながら詳細に説明する。
【００２３】
複合光学素子２０は、プリズム３０と、第１のレンズ２１と、第２のレンズ２２とを備えている。プリズム３０は、プリズム本体３１を備えている。プリズム本体３１は、光入射面３１ａ、光反射面３１ｂ、及び光出射面３１ｃを３つの側面とする三角柱状に形成されている。詳細には、光入射面３１ａと光出射面３１ｃとが互いに直交する直角三角柱状に形成されている。すなわち、光入射面３１ａ及び光出射面３１ｃは互いに直交する２つの直交側面を構成している。一方、光出射面３１ｃは光入射面３１ａ及び光出射面３１ｃのそれぞれに傾斜する傾斜側面を構成している。プリズム３０は、光入射面３１ａから光入射面３１ａに対して垂直にプリズム３０内に入射した光が光入射面３１ａにおいて反射されて光出射面３１ｃから出射するように形成されている。
【００２４】
光入射面３１ａの上には、プリズム本体３１から突出するように、プリズム本体３１と一体に形成された凸状の第１の接合部３２ａが設けられている。詳細には、第１の接合部３２ａは、光出射面３１ｃの周縁部分に、光出射面３１ｃの光学有効領域（光が出射する領域）を周回するように輪帯状（リング状）に形成されている。第１のレンズ２１はこの第１の接合部３２ａに接合されている。詳細には、第１のレンズ２１は、光学有効部２１ａと、光学有効部の外周に形成された枠部２１ｂとを有し、その枠部２１ｂでもって第１の接合部３２ａに接合されている。
【００２５】
例えば、プリズム３０と第１のレンズ２１とを離間して配置する場合は、プリズム３０と第１のレンズ２１との位置決め精度は、プリズム３０の取り付け精度と第１のレンズ２１の取り付け精度との両方に依存する。このため、プリズム３０と第１のレンズ２１との高い位置決め精度を実現するためには、非常に高精度にプリズム３０と第１のレンズ２１とを取り付けなければならない。言い換えれば、プリズム３０と第１のレンズ２１とを高い位置決め精度で配置することは困難である。
【００２６】
しかしながら、本実施形態１では、第１のレンズ２１は第１の接合部３２ａにおいてプリズム３０に直接接合されている。このため、第１のレンズ２１とプリズム３０との高い位置決め精度を容易に実現することが可能となる。
【００２７】
第１のレンズ２１とプリズム３０とのより高い位置決め精度を実現する観点から、第１のレンズ２１の枠部２１ｂは第１の接合部３２ａの形状に対応した形状を有することが好ましい。例えば、図２に示すように、第１の接合部３２ａの頂部に、光出射面３１ｃと平行な平面部を形成すると共に、枠部２１ｂを第１のレンズ２１の光軸と垂直な（言い換えれば、第１のレンズ２１の主平面と平行な）平面部を設け、それら平面部が対向するように第１のレンズ２１を接合させることが好ましい。このようにすることによって、第１のレンズ２１を配置するだけで直ちにプリズム３０からの出射光の光軸と第１のレンズ２１の光軸とを容易且つ高精度に一致させることができる。
【００２８】
尚、第１のレンズ２１は、光学設計上の観点から、図２に示すように、光学有効部２１ａがプリズム本体３１（光出射面３１ｃ）と離間するように接合されていても良い。
【００２９】
一方、光出射面３１ｃの上には、プリズム本体３１から突出するように、プリズム本体３１と一体に形成された凸状の第２の接合部３２ｂが設けられている。詳細には、第２の接合部３２ｂは、光入射面３１ａの周縁部分に、光入射面３１ａの光学有効領域（光が入射する領域）を周回するように輪帯状に形成されている。第２のレンズ２２はこの第２の接合部３２ｂに接合されている。詳細には、第２のレンズ２２は、光学有効部２２ａと、光学有効部の外周に形成された枠部２２ｂとを有し、その枠部２２ｂでもって第２の接合部３２ｂに直接接合されている。このため、上記第１のレンズ２１と第１の接合部３２ａとの場合と同様に、第２のレンズ２２とプリズム３０との高い位置決め精度を容易に実現することが可能となる。
【００３０】
第２のレンズ２２とプリズム３０とのより高い位置決め精度を実現する観点から、第２のレンズ２２の枠部２２ｂは第２の接合部３２ｂの形状に対応した形状を有することが好ましい。例えば、図２に示すように、第２の接合部３２ｂの頂部に、光入射面３１ａと平行な平面部を形成すると共に、枠部２２ｂを第２のレンズ２２の光軸と垂直な（言い換えれば、第２のレンズ２２の主平面と平行な）平面部を設け、それら平面部が対向するように第２のレンズ２２を接合させることが好ましい。このようにすることによって、第２のレンズ２２を配置するだけで直ちにプリズム３０からの出射光の光軸と第２のレンズ２２の光軸とを容易且つ高精度に一致させることができる。
【００３１】
尚、第２のレンズ２２は、光学設計上の観点から、図２に示すように、光学有効部２２ａがプリズム本体３１（光出射面３１ｃ）と離間するように接合されていても良い。
【００３２】
本実施形態１では、第１の接合部３２ａ及び第２の接合部３２ｂ（以下、「第１の接合部３２ａ及び第２の接合部３２ｂ」を総称して「接合部３２」とする場合がある。）が光入射面３１ａ又は光入射面３１ａ上に形成されている。言い換えれば、プリズム本体３１に対して光軸方向に配置されている。このため、例えば、三角柱状に形成されたプリズム３０の底面に接合部３２を設ける場合と比較して、小型化、薄型化が容易に実現される。
【００３３】
プリズム３０の材質は特に限定されるものではない。例えば、プラスチック製又はガラス製（結晶化ガラス製を含む）であっても良い。その中でも特にガラス製であることが好ましい。ガラスによりプリズム３０を形成することによって、高い形状精度、高耐熱性、高い機械的耐久性、高い均質性を実現することができる。また、ガラスは熱膨張係数及び光弾性定数が比較的小さいため、撮像装置１の温度が上昇した場合であっても、プリズム３０に歪みが発生しにくく、複合光学素子２０の光学的性能が劣化しにくい。
【００３４】
さらに、ガラス製の場合、プリズム３０の屈折率を比較的高くすることが容易である。プリズム３０の屈折率を高くすることにより撮像装置１の光学系（レンズ群１２〜１４、複合光学素子２０、及び受光素子１１）の光路長を短くすることができる。よって、撮像装置１をよりコンパクトにすることができる。
【００３５】
また、プリズム３０の屈折率を高くすることによって、光反射面３１ｂの光反射率を向上することができる。光反射面３１ｂは、光入射面３１ａからプリズム３０（プリズム本体３１）に垂直に入射した可視光（波長が４００ｎｍ以上７００ｎｍ以下の光）の光反射率が９０％以上であることが好ましい。さらには９５％以上であることが好ましい。このような高い反射率を実現する観点から、プリズム３０のｄ線（波長が５８９ｎｍの光）の屈折率が１．６以上であることが好ましい。さらには１．６５以上であることが好ましい。また、プリズム３０は可視光の透過率が高いものであることが好ましい。
【００３６】
例えばプリズム３０の屈折率が低い場合（例えば、プリズム３０が低屈折率ガラスやプラスチックで形成されている場合）などは、光反射面３１ｂ上に光反射膜（図示せず）を形成しても良い。そうすることによって、光反射面３１ｂにおける光反射率を向上することができる。従って、光の高い利用効率を実現することができる。尚、光反射膜は、例えば、アルミニウム（Ａｌ）等によって形成することができる。
【００３７】
第１のレンズ２１及び第２のレンズ２２の材質も特に限定されるものではなく、例えば、ガラス製又はプラスチック製であってもよい。第１のレンズ２１及び第２のレンズ２２はプリズム３０と同一材料で形成されていてもよい。この構成によれば、撮像装置１の温度が上昇した場合であっても、プリズム３０と第１のレンズ２１及び第２のレンズ２２との熱膨張量がほぼ同じとなるため、プリズム３０等に歪み等が生じにくくなる。
【００３８】
プリズム３０がプラスチック製である場合、プリズム３０は、例えば射出成型法等により形成することができる。一方、プリズム３０がガラス製である場合は、研磨法又は精密プレス法等により形成することができる。具体的には、例えば、図４に示す金型ユニット４０を用いて形成することができる。
【００３９】
図４はプリズム３０を形成するための金型ユニット４０の構成を表す断面図である。
【００４０】
図５は金型ユニット４０を用いてプリズム３０を形成する工程を表す断面図である。
【００４１】
金型ユニット４０は、下型４１と、上型４２と、下型４１及び上型４２が装入される胴型４３とを備えている。下型は、第１の下型４１ａと、第２の下型４１ｂと、第１の下型４１から突出する円柱状の第３の下型４１ｃと、第２の下型４１ｂから突出する円柱状の第４の下型４１ｄとを備えている。
【００４２】
この金型ユニット４０の内部に母材を装入し、所定の温度（例えば、母材の軟化温度近傍）まで加熱した後にプレスすることによりプリズム３０を製造することができる。第３の下型４１ｃと第４の下型４１ｄとを設けることにより第１の接合部３２ａ及び第２の接合部３２ｂを形成することができる。
【００４３】
尚、金型ユニット４０の内部に送入する母材は、図４に示すように球状であっても良く、又は円柱状であってもよい。若しくは、プリズム３０の形状に近いガラスプリフォームとしてもよい。
【００４４】
また、精密プレスは、プリズム３０の稜部がＲ面取り状となるように行うことが好ましい。そうすることによって、母材の加工ばらつき（重量ばらつき、体積ばらつき等）が吸収され、安定したプリズム３０の生産が可能となる。
【００４５】
尚、本実施形態１では、プリズム３０は三角柱状に形成されているが、例えば、多角柱状（台形柱状等）に形成されていてもよい。
【００４６】
また、本実施形態１では光入射面３１ａと光出射面３１ｃとは直交しているが、光入射面３１ａと光出射面３１ｃとは直交していなくてもよい。
【００４７】
また、本実施形態１では、プリズム３０にはレンズ２１、２２が接合されているが、プリズム３０にレンズ以外の光学素子（例えば、プリズム、偏光板、色フィルタ基板等）を接合させてもよい。
【００４８】
また、第１のレンズ群１４、第２のレンズ群１３、及び第３のレンズ群１２はそれぞれ光軸方向に変位可能に構成されていてもよい。
【００４９】
（変形例１）
図６は変形例１に係る複合光学素子の構成を表す断面図である。
【００５０】
図６に示すように、光入射面３１ａ及び光出射面３１ｃのうちの一方にのみ接合部３２ｂを形成し、レンズ２２を接合してもよい。
【００５１】
（変形例２）
図７は本変形例２に係る複合光学素子の構成を表す断面図である。
【００５２】
図７に示すように、第１のレンズ２１と第２のレンズ２２とをそれぞれ一方面が平面上である凸レンズとしてもよい。その場合に、光学有効部２１ａが光出射面３１ｃに接触するように第１のレンズ２１をプリズム３０に接合させてもよい。同様に、光学有効部２２ａが光入射面３１ａに接触するように第２のレンズ２２をプリズム３０に接合させてもよい。
【００５３】
（変形例３）
図８は本変形例３に係る複合光学素子の構成を表す断面図である。
【００５４】
図８に示すように、第１の接合部３２ａのうち、第１のレンズ２１が接合される部分に、内径が第１のレンズ２１の外径とほぼ同様のリング状の切欠き３３ａを設けてもよい。そして、その切欠き部３３ａに第１のレンズ２１を接合させてもよい。この構成によれば、第１のレンズ２１の光軸とプリズム３０の光軸とがずれることが抑制される。
【００５５】
同様に、第２の接合部３２ｂのうち、第２のレンズ２２が接合される部分に、内径が第２のレンズ２２の外径とほぼ同様のリング状の切欠き部３３ｂを設けてもよい。そして、その切欠き部３３ｂに第２のレンズ２２を接合させてもよい。この構成によれば、第２のレンズ２２の光軸とプリズム３０の光軸とがずれることが抑制される。
【００５６】
尚、本変形例３におけるプリズム３０は、図４に示す金型ユニット４０の第３の下型４１ｃと第４の下型４１ｄとを図９に示す形状の下型として、精密プレス法を用いて成形することができる。
【００５７】
（実施形態２）
上記実施形態１において、複合光学素子２０を用いた撮像装置１について説明したが、複合光学素子２０は撮像装置以外の光学装置にも用いることができる。例えば、照明装置にも用いることができる。本実施形態２では、複合光学素子２０を備えた照明装置２について図１０を参照しながら詳細に説明する。尚、尚、本実施形態２の説明において、図２及び図３は実施形態１と共通に参照する。また、実質的に同じ機能を有する構成要素を実施形態１と共通の参照符号で説明し、説明を省略する。
【００５８】
図１０は本実施形態２に係る照明装置２の主要部の構成を表す図である。
【００５９】
本実施形態２に係る照明装置２は、光源５１と、レンズ群５２〜５４（第１のレンズ群５２、第２のレンズ群５３、及び第３のレンズ群５４）を含む照明光学系と、照明光学系の光路中に配置された複合光学素子２０とを備えている。上記実施形態１において述べたように、複合光学素子２０は、プリズム３０と、それぞれプリズム３０に接合された第１のレンズ２１及び第２のレンズ２２とを備えている。尚、本実施形態２では、側面３１ｃが光入射面となり、側面３１ａが光入射面となる。
【００６０】
光源５１は例えば平行光又は拡散光を出射する光源である。光源５１から出射された光は第１のレンズ群５２と第２のレンズ群５３とを透過して複合光学素子２０に入射する。複合光学素子２０に入射した光は光反射面３１ｂで反射されて複合光学素子２０から出射する。複合光学素子２０から出射した光は第３のレンズ群５４を透過して照明装置２から出射される仕組みとなっている。
【００６１】
上述のように、第１のレンズ２１及び第２のレンズ２２は、それぞれ、プリズム本体３１と一体形成された接合部３２に接合されている。このため、プリズム３０と、第１のレンズ２１及び第２のレンズ２２との高い位置決め精度を実現することができる。従って、高品位な照明装置２を実現することができる。
【００６２】
また、接合部３２は光入出射面３１ａ、３１ｃの上に位置している。従って、コンパクトな照明装置２を実現することができる。
【産業上の利用可能性】
【００６３】
以上説明したように、本発明に係るプリズムは、デジタルスチルカメラ（ＤＳＣ）、デジタルビデオカメラ（ＤＶＣ）、携帯電話用カメラ、プロジェクションテレビ等に有用である。
【図面の簡単な説明】
【００６４】
【図１】実施形態１に係る撮像装置（例えば、デジタルスチルカメラ：ＤＳＣ）１の主要部の構成を表す図である。
【図２】実施形態１における複合光学素子２０の断面図である。
【図３】複合光学素子２０の斜視図である。
【図４】プリズム３０を形成するための金型ユニット４０の構成を表す断面図である。
【図５】金型ユニット４０を用いてプリズム３０を形成する工程を表す断面図である。
【図６】変形例１に係る複合光学素子の構成を表す断面図である。
【図７】変形例２に係る複合光学素子の構成を表す断面図である。
【図８】変形例３に係る複合光学素子の構成を表す断面図である。
【図９】変形例３におけるプリズム３０を形成するために使用する下型４１ｃ、４１ｄの断面図である。
【図１０】実施形態２に係る照明装置２の主要部の構成を表す図である。
【符号の説明】
【００６５】
１      撮像装置
２      照明装置
１１      受光素子
１２、１３、１４、４２、４３、４４      レンズ群
２０      複合光学素子
２１、２２      レンズ
２１ａ、２２ａ    光学有効部
２１ｂ、２２ｂ    枠部
３０      プリズム
３１      プリズム本体
３１ａ、３１ｃ    光入出射面
３１ｂ    光反射面
３２      接合部
４０      金型ユニット
４１      下型
４２      上型
４３      胴型
５１      光源
【図１】
2007279134.tif 000003
【図２】
2007279134.tif 000004
【図３】
2007279134.tif 000005
【図４】
2007279134.tif 000006
【図５】
2007279134.tif 000007
【図６】
2007279134.tif 000008
【図７】
2007279134.tif 000009
【図８】
2007279134.tif 000010
【図９】
2007279134.tif 000011
【図１０】
2007279134.tif 000012